(57)【要約】【課題】簡単な構造で、温度調節機能を有し、調乳ポットと哺乳びんとを共通の加熱ヒータで選択的に保温ないし加熱が可能な保温器を提供する。【解決手段】本体１は底壁部１１と、これを取り囲みかつ上下に延びる周壁１２とを有し、周壁１２は一方側が高く、他方側が低く形成されており、底壁部１１に内蔵された加熱ヒータ２を温度調整機構９で加熱しながら底壁部１１の一方面の開口部１３を上向けたときには哺乳びん５のミルクを保温し、底壁部１１の他方面の開口部１４を上向けたときには調乳ポット６で飲料水を加熱煮沸させた後、お湯として保温する。【選択図】        図３
2004195054.tif 000002
【特許請求の範囲】
【請求項１】
哺乳びんと調乳ポットとを調乳温度で保温する保温器であって、
底壁部と、これを取り囲みかつ上下に延びて前記底壁部の一方面側と他方面側にそれぞれ開口部が形成された周壁とを有する本体と、
前記底壁部に内蔵された加熱手段と、
前記底壁部の一方面側の開口部を上向きにしたとき前記哺乳びんを位置決めし、前記底壁部の他方面側の開口部を上向きにしたとき前記調乳ポットを位置決めする位置決め手段とを備えたことを特徴とする、保温器。
【請求項２】
前記周壁のうち前記一方面側が高く、前記他方面側が低く形成されていることを特徴とする、請求項１に記載の保温器。
【請求項３】
前記位置決め手段は、前記底壁部の一方面側に形成されて前記哺乳びんを複数受入れるための凹部を含むことを特徴とする、請求項１に記載の保温器。
【請求項４】
前記底壁部の一方面は平らな平面を構成しており、
前記位置決め手段は、前記底壁部の一方面側の開口部を覆い、前記哺乳びんを受入れるための複数の孔が形成された蓋を含むことを特徴とする、請求項１に記載の保温器。
【請求項５】
さらに、前記加熱手段による加熱温度を調整するための温度調整手段を含むことを特徴とする、請求項１に記載の保温器。
【発明の詳細な説明】
【０００１】
【発明の属する技術分野】
この発明は保温器に関し、特に、調乳ポットと哺乳びんとを所定の温度で保温する保温器に関する。
【０００２】
【従来の技術】
乳幼児に授乳するときは、飲料水を１００℃まで加熱煮沸して殺菌した後、５０℃前後まで冷却してお湯にし、そのお湯を哺乳びんに移し、粉ミルクを哺乳びんに所定量入れた後、哺乳びんに吸い口とキャップとをセットして哺乳びんを振って粉ミルクをお湯に溶かすという一連の作業が必要である。このためミルク調乳作業は、乳児を持つ親にとって時間と労力を必要とし、負担が大きい。
【０００３】
このような負担を軽減するために、実開昭５４−１３８８９２号公報には「哺乳びん保温器」が記載されており、特許第２７１０７６０号には「調乳ポット用兼哺乳びん用保温器」が記載されている。これらはいずれも、飲料水を一旦１００℃まで加熱煮沸させた後、５０℃程度まで冷却し、そのお湯を５０℃程度でポットで保温できるようにするとともに、哺乳びんは４０℃の温度で保温できるようにしたものである。
【０００４】
【特許文献１】
実開昭５４−１３８８９２号公報（第１図）
【０００５】
【特許文献２】
特許第２７１０７６０号（段落番号００１６、図１）
【０００６】
【発明が解決しようとする課題】
このような保温器において、簡単な構造で、温度調節機能を有し、調乳ポットと哺乳びんとを共通の加熱ヒータで選択的に保温ないし加熱が可能な保温器が望まれている。
【０００７】
それゆえに、この発明の主たる目的は、そのような保温器を提供することである。
【０００８】
【課題を解決するための手段】
この発明は、哺乳びんと調乳ポットとを調乳温度で保温する保温器であって、底壁部と、これを取り囲みかつ上下に延びて底壁部の一方面側と他方面側にそれぞれ開口部が形成された周壁とを有する本体と、底壁部に内蔵された加熱手段と、底壁部の一方面側の開口部を上向きにしたとき哺乳びんを位置決めし、底壁部の他方面側の開口部を上向きにしたとき調乳ポットを位置決めする位置決め手段とを備えたことを特徴とする。
【０００９】
これにより、加熱手段を共通にして、底壁部の一方面側の開口部を上向きにしたとき哺乳びんを保温することができ、底壁部の他方面側の開口部を上向きにしたとき調乳ポットを加熱後保温することができる。
【００１０】
また、周壁のうち一方面側が高く、他方面側が低く形成されていることを特徴とする。
【００１１】
周壁の一方面側を高くすることにより、哺乳びんの保温効果を高めることができ、他方面を低くすることにより調乳ポットの取手が邪魔されることがない。
【００１２】
位置決め手段は、底壁部の一方面側に形成されて哺乳びんを複数受入れるための凹部を含むことを特徴とする。
【００１３】
この凹部により哺乳びんの保温効果を高めることができる。
【００１４】
また、底壁部の一方面は平らな平面を構成しており、位置決め手段は底壁部の一方面の開口部を覆い、哺乳びんを受入れるための複数の孔が形成された蓋を含むことを特徴とする。
【００１５】
このように蓋で開口部を覆うことにより、底壁部の一方面側と蓋との間で保温効果を達成できる。
【００１６】
さらに、加熱手段による加熱温度を調整するための温度調整手段を含むことを特徴とする。
【００１７】
この温度調整手段により、哺乳びんの保温に最適な温度を設定できるとともに調乳ポットを最適な温度で加熱後保温することができる。
【００１８】
【発明の実施の形態】
図１はこの発明の一実施形態における保温器の外観斜視図であり、哺乳びんを保温している状態を示し、図２は同じく調乳ポットを加熱後保温している状態を示し、図３は図１の線ＩＩＩ−ＩＩＩに沿う断面図である。
【００１９】
図１ないし図３において、本体１は底壁部１１と、これを取り囲みかつ上下に延びる周壁１２とを有している。底壁部１１と周壁１２はたとえば耐熱性のある合成樹脂からなる上部材１２１と、下部材１２２とを組合わせて形成されていて、底壁部１１の一方面側と他方面側とのそれぞれに開口部１３，１４が設けられている。周壁１２のうち一方面の開口部１３側は哺乳びん５を保温するために高く形成され、他方面の開口部１４側は調乳ポット６を加熱後保温するために低く形成されている。
【００２０】
底壁部１１にはたとえばニクロム線やセラミックヒータなどからなる加熱ヒータ２が内蔵されている。底壁部１１の一方面側には哺乳びん５をたとえば３本受け入れるための位置決め手段としての凹部１６，１７，１８が形成されている。周壁１２には温度調整機構７が内蔵されており、この温度調整機構７は加熱ヒータ２に供給する電圧をサーモスタットなどで制御して設定された一定の温度にする。周壁１２の側面には温度を調整するための温度調整つまみ９が取付けられている。また周壁１２の側面から電源ケーブル８が引出されている。
【００２１】
このように構成された保温器において、哺乳びん５を保温するときは図１に示すように底壁部１１の一方面の開口部１３を上向け、凹部１６，１７，１８のいずれかに哺乳びん５を挿入する。そして、温度調整つまみ９により温度をたとえば４０℃位に設定する。温度調整機構７は温度調整つまみ９で設定された温度となるように加熱ヒータ２を制御する。加熱ヒータ２からの熱は凹部１６，１７，１８に伝えられる。
【００２２】
凹部１６，１７，１８のいずれかに哺乳びん５を挿入したとき、哺乳びん５の上半分は露出しているので、冷却効果を高めることができ、たとえ哺乳びん５に沸騰水が注入されていても、沸騰水が調乳に適した温度のお湯になるまでの冷却時間を短縮できる。また、哺乳びん５の下半分は凹部１６，１７，１８のいずれかによって囲まれているので保温効果を高めることができ、加熱ヒータ２による加熱も少ない電力で設定された温度にすることができる。
【００２３】
調乳ポット６で飲料水を一旦加熱して煮沸させた後、保温するときは図２に示すように底壁部１１の他方面の開口部１４を上向け、底壁部１１の他方面上に調乳ポット６を載置する。こちら側の周壁１２の高さは低く形成されているので、調乳ポット６の取手が周壁１２に当たって邪魔されることがない。調乳ポット６で飲料水を加熱煮沸させるために温度調整つまみ９により１００℃に設定し、煮沸後、温度調整つまみ９によりたとえば５０℃に設定する。温度調整機構７は設定された温度になるように加熱ヒータ２を制御するので、調乳ポット６内の飲料水を煮沸させた後、一定温度で保温することができる。
【００２４】
上述のごとく、この実施形態では、加熱ヒータ２を共通にしながら底壁部１１の一方面の開口部１３を上向けて哺乳びん５のお湯やミルクを保温し、底壁部１１の他方面の開口部１４を上向けて調乳ポット６で飲料水を加熱して煮沸させた後、お湯を保温することができる。
【００２５】
図４はこの発明の他の実施形態における保温器の断面図であり、図５はこの発明の他の実施形態における保温器の蓋を示す図である。
【００２６】
図１〜図３に示した実施形態では、底壁部１１の一方側に哺乳びん５を受入れるための凹部１６，１７，１８を形成したが、この実施形態では本体１０における底壁部１１の一方面側が平らな平面を構成しており、その開口部１３には哺乳びん５を受入れるための孔２１，２２，２３が形成された蓋２０が設けられている。
【００２７】
この実施形態では、底壁部１１の一方側に孔２１，２２，２３の形成された蓋２０を設けたので、哺乳びん５を孔２１，２２，２３のいずれかに挿入することにより、蓋２０内で保温効果を達成できる。
【００２８】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【００２９】
【発明の効果】
以上のように、この発明によれば、底壁部と、これを取り囲みかつ上下に延びて底壁部の一方面側と他方面側にそれぞれ開口部が形成された周壁とを有する本体と、底壁部に内蔵された加熱手段と、底壁部の一方面側の開口部を上向きにしたとき哺乳びんを位置決めし、底壁部の他方面側の開口部を上向きにしたとき調乳ポットを位置決めする位置決め手段とを備えたことにより、比較的簡単な構成で保温器を構成できる。しかも、加熱手段を共通にして、底壁部の一方面側の開口部を上向きにしたときに哺乳びんでお湯やミルクを保温することができ、底壁部の他方面側の開口部を上向きにしたときに調乳ポットで飲料水を加熱した後、お湯として保温することができる。
【図面の簡単な説明】
【図１】この発明の一実施形態における保温器の外観斜視図であり、哺乳びんを保温している状態を示す。
【図２】この発明の一実施形態における保温器の外観斜視図であり、調乳ポットを保温している状態を示す。
【図３】図１の線ＩＩＩ−ＩＩＩに沿う断面図である。
【図４】この発明の他の実施形態における保温器の断面図である。
【図５】この発明の他の実施形態における保温器の蓋を示す図である。
【符号の説明】
１，１０  本体、２  加熱ヒータ、５  哺乳びん、６  調乳ポット、７  温度調整機構、８  電源ケーブル、９  温度調整つまみ、１１  底壁部、１２  周壁、１３，１４  開口部、１６，１７，１８  凹部、２０  蓋、２１，２２，２３孔、１２１  上部材、１２２  下部材。
【図１】
2004195054.tif 000003
【図２】
2004195054.tif 000004
【図３】
2004195054.tif 000005
【図４】
2004195054.tif 000006
【図５】
2004195054.tif 000007